(57)【要約】【課題】燃焼室内においてより広範囲にプラズマを形成してより広範囲の点火が可能な点火装置を提供する。【解決手段】電磁波発生電源６０は燃焼室１０８内で共振し得るマイクロ波を発生させる。マイクロ波放射器２０は、燃焼室１０８に臨む状態で配置され、電磁波発生電源６０にて発生したマイクロ波を燃焼室１０８内へ向けて放射する。電荷供給装置３０は、マイクロ波放射器２０から放射されたマイクロ波によって形成される電界の電界ベクトルを横切るように、燃焼室１０８内に電荷を供給する。これにより、電荷はマイクロ波の電磁力の作用で移動するため、より広い範囲にマイクロ波プラズマが形成され、より広い範囲にわたって希薄混合気が点火される。【選択図】図１
2015158164.tif 000002
【特許請求の範囲】
【請求項１】
燃焼室内の混合気の点火を行う内燃機関の点火装置において、
前記燃焼室で共振し得る電磁波を発生させる電磁波発生手段と、
前記燃焼室に臨む状態で配置され、前記電磁波発生手段にて発生した電磁波を前記燃焼室内へ向けて放射する電磁波放射器と、
前記電磁波放射器から放射された電磁波によって形成される電界の電界ベクトルを横切るように、前記燃焼室内に電荷を供給する電荷供給手段と、
を有することを特徴とする内燃機関の点火装置。
【請求項２】
請求項１に記載の内燃機関の点火装置において、
前記電荷供給手段は、レーザ光によって電荷を供給する、
ことを特徴とする内燃機関の点火装置。
【請求項３】
請求項２に記載の内燃機関の点火装置において、
前記電磁波放射器の先端部は、前記燃焼室内に突出しており、
前記電荷供給手段は、前記電磁波放射器の前記先端部にレーザ光を照射することで電荷を前記燃焼室内に発生させる、
ことを特徴とする内燃機関の点火装置。
【請求項４】
請求項２に記載の内燃機関の点火装置において、
前記燃焼室内の電界の強度を局所的に高めるための電界集中用電極が、前記燃焼室内に設けられており、
前記電荷供給手段は、前記電界集中用電極の先端部にレーザ光を照射することで電荷を前記燃焼室内に発生させる、
ことを特徴とする内燃機関の点火装置。
【請求項５】
請求項１に記載の内燃機関の点火装置において、
前記電荷供給手段は、トーチ状プラズマによって前記燃焼室内に電荷を供給する、
ことを特徴とする内燃機関の点火装置。
【請求項６】
請求項１に記載の内燃機関の点火装置において、
前記電荷供給手段は、火花放電によって前記燃焼室内に電荷を供給する、
ことを特徴とする内燃機関の点火装置。
【発明の詳細な説明】
【技術分野】
【０００１】
本発明は内燃機関の点火装置に関し、特に、電磁波を利用することで燃焼室内の混合気の点火を行う点火装置に関する。
【背景技術】
【０００２】
内燃機関の点火装置として、数ＧＨｚの周波数を有するマイクロ波等の電磁波を用いることで、燃焼室内の混合気の点火を行う点火装置が知られている。
【０００３】
特許文献１には、ピストンの頂面に対向する位置にマイクロ波放射アンテナが設けられた点火装置が開示されている。マイクロ波放射アンテナからマイクロ波を燃焼室内に放射することで、燃焼室内の混合気の点火が行われる。
【０００４】
特許文献２には、エンジン燃焼室内をマイクロ波共振器として利用する内燃機関が開示されている。
【０００５】
特許文献３には、レーザ誘起プラズマにマイクロ波を照射することで、プラズマの拡大を図った装置が開示されている。
【先行技術文献】
【特許文献】
【０００６】
【特許文献１】特開２００７−１１３５７０号公報
【特許文献２】特開２０００−２３０４２６号公報
【特許文献３】特開２００９−７０５８６号公報
【発明の概要】
【発明が解決しようとする課題】
【０００７】
ところで、内燃機関においては燃焼効率の向上が望まれている。燃焼効率を向上させるためには、燃焼室内の広範囲にプラズマを形成することで混合気を広範囲で点火することが考えられる。上記特許文献１〜３のいずれにおいても、燃焼室内の広範囲にプラズマを形成することは困難である。
【０００８】
本発明の目的は、燃焼室内においてより広範囲にプラズマを形成してより広範囲の点火が可能な点火装置を提供することである。
【課題を解決するための手段】
【０００９】
請求項１に係る発明は、燃焼室内の混合気の点火を行う内燃機関の点火装置において、前記燃焼室で共振し得る電磁波を発生させる電磁波発生手段と、前記燃焼室に臨む状態で配置され、前記電磁波発生手段にて発生した電磁波を前記燃焼室内へ向けて放射する電磁波放射器と、前記電磁波放射器から放射された電磁波によって形成される電界の電界ベクトルを横切るように、前記燃焼室内に電荷を供給する電荷供給手段と、を有することを特徴とする内燃機関の点火装置である。
【００１０】
請求項２に係る発明は、請求項１に記載の内燃機関の点火装置において、前記電荷供給手段は、レーザ光によって電荷を供給する、ことを特徴とする。
【００１１】
請求項３に係る発明は、請求項２に記載の内燃機関の点火装置において、前記電磁波放射器の先端部は、前記燃焼室内に突出しており、前記電荷供給手段は、前記電磁波放射器の前記先端部にレーザ光を照射することで電荷を前記燃焼室内に発生させる、ことを特徴とする。
【００１２】
請求項４に係る発明は、請求項２に記載の内燃機関の点火装置において、前記燃焼室内の電界の強度を局所的に高めるための電界集中用電極が、前記燃焼室内に設けられており、前記電荷供給手段は、前記電界集中用電極の先端部にレーザ光を照射することで電荷を前記燃焼室内に発生させる、ことを特徴とする。
【００１３】
請求項５に係る発明は、請求項１に記載の内燃機関の点火装置において、前記電荷供給手段は、トーチ状プラズマによって前記燃焼室内に電荷を供給する、ことを特徴とする。
【００１４】
請求項６に係る発明は、請求項１に記載の内燃機関の点火装置において、前記電荷供給手段は、火花放電によって前記燃焼室内に電荷を供給する、ことを特徴とする。
【発明の効果】
【００１５】
本発明によると、電界ベクトルを横切るように燃焼室内に電荷を供給することで、電荷が電界ベクトルに沿って運動するとともに電界ベクトルを横断するように分布するので、広範囲にプラズマを形成することが可能となる。その結果、より広範囲に亘って混合気の点火を行うことが可能となる。
【図面の簡単な説明】
【００１６】
【図１】本発明の実施形態に係る内燃機関の概略構成を示す図である。
【図２】燃焼室内における電界分布を示す模式図である。
【図３】マイクロ波の周波数及び反射率を示すグラフである。
【図４】燃焼室内における電界分布を示す模式図である。
【図５】電界が電荷に及ぼす作用を説明するための模式図である。
【図６】実施例１に係る電荷供給装置の概略構成を示す図である。
【図７】マイクロ波及びレーザ光の供給タイミングを説明するためのグラフである。
【図８】電荷の挙動を示す模式図である。
【図９】電荷の挙動を示す模式図である。
【図１０】燃焼室内に形成されたプラズマを示す模式図である。
【図１１】実施例２に係る内燃機関の概略構成を示す図である。
【図１２】実施例２に係る電界分布を示す模式図である。
【図１３】燃焼室内に形成されたプラズマを示す模式図である。
【図１４】レーザエネルギとプラズマの発光面積との関係を示すグラフである。
【図１５】実施例３に係る電荷供給装置の概略構成を示す図である。
【図１６】実施例４に係る電荷供給装置の概略構成を示す図である。
【図１７】実施例５に係る電荷供給装置の概略構成を示す図である。
【図１８】実施例６に係る電荷供給装置の概略構成を示す図である。
【発明を実施するための形態】
【００１７】
図１に、本発明の実施形態に係る内燃機関の一例を示す。本実施形態に係る内燃機関１００においては、マイクロ波等の電磁波を利用して燃焼室１０８内の混合気の点火を行う。
【００１８】
内燃機関１００は、シリンダヘッド１０２と、シリンダ１０４と、シリンダ１０４及びピストン１０６により形成される燃焼室１０８と、シリンダヘッド１０２に設けられた吸気口１１０を開閉する吸気弁１１２と、シリンダヘッド１０２に設けられた排気口１１４を開閉する排気弁１１６と、燃料噴射弁１１８とを含む。吸気工程においては、吸気弁１１２が開きピストン１０６を下降させることで、吸気口１１０から燃焼室１０８内に吸気ガスが導入される。燃料噴射弁１１８が吸気口１１０に臨む状態で配置されていることで、燃料が吸気口１１０に噴射されるため、燃焼室１０８内に混合気が導入される。圧縮工程においては、吸気弁１１２が閉じてピストン１０６の上昇により混合気が圧縮される。点火装置１０は、マイクロ波等の電磁波を燃焼室１０８内に放射することで、燃焼室１０８内の混合気の点火を行う。燃焼後のガスは、排気工程において排気弁１１６が開くことで、排気口１１４へ排出される。
【００１９】
点火装置１０は、電磁波伝搬手段としてのマイクロ波放射器２０と、電荷供給装置３０と、電磁波発生電源６０と、制御装置６２と、電磁波伝送路６４とを含む。電磁波発生電源６０は、例えばマグネトロン、進行波増幅管又は固体発振素子等により構成され、マイクロ波等の電磁波を発生させる。制御装置６２は、電磁波発生電源６０が発生させるマイクロ波のパルスの高さ及び幅のいずれか１つ以上を制御することで、その出力（電力）を制御する。電磁波発生電源６０は、燃焼室１０８内の混合気の点火を行うタイミングでマイクロ波パルスを出力し、この出力されたマイクロ波パルスは電磁波伝送路６４を伝搬する。電磁波伝送路６４は、例えば同軸ケーブルや導波管によって構成される。電磁波伝送路６４の端部には、燃焼室１０８に臨む状態でマイクロ波放射器２０が設けられている。一例として、マイクロ波放射器２０は、燃焼室１０８の上面の中央部に配置されている。マイクロ波放射器２０は、電磁波発生電源６０にて発生して電磁波伝送路６４を伝搬したマイクロ波を燃焼室１０８内に放射する。電荷供給装置３０は、燃焼室１０８の上面においてマイクロ波放射器２０の近傍に配置されており、燃焼室１０８内にて電荷を発生させる。なお、混合気の点火に用いられる電磁波はマイクロ波に限られないが、以下では一例としてマイクロ波を用いる例について説明する。
【００２０】
図２に、マイクロ波放射器２０の一例を示す。図２において、電荷供給装置３０は省略されている。マイクロ波放射器２０は、外側導体２２と内側導体２４とによって構成された同軸構造を有する。外側導体２２は筒状の形状を有し、接地されている。内側導体２４は柱状の形状を有し、外側導体２２の中心軸に沿って外側導体２２内に配置されている。外側導体２２と内側導体２４との間には、誘電体２６が配置されている。誘電体２６は、空気であってもよいし、固体状の物質であってもよい。外側導体２２の開放端が燃焼室１０８に臨む状態で、マイクロ波放射器２０がシリンダヘッド１０２に配置されている。図１及び図２に示すように、内側導体２４の先端部２４ａは、燃焼室１０８内に突出しており、内側導体２４がアンテナ電極として機能する。電磁波伝送路６４を介してマイクロ波放射器２０に供給されたマイクロ波等の電磁波は、外側導体２２と内側導体２４との間を伝搬して、燃焼室１０８内に放射される。
【００２１】
燃焼室１０８では、所定の周波数のマイクロ波が所定の共振モードで共振する。電磁波発生電源６０は、制御装置６２の制御に基づき、燃焼室１０８にて共振する周波数のマイクロ波を発生させる。マイクロ波が燃焼室１０８内で共振している状態では、マイクロ波のエネルギ反射が少なく、マイクロ波のエネルギのほとんどが燃焼室１０８内に蓄えられる。
【００２２】
図３に、マイクロ波の周波数と反射率との関係を示す。一例としてＴＭ０１０モード共振について説明する。燃焼室１０８内においてマイクロ波の反射率が最も低くなる周波数（例えば共振周波数：２．４８ＧＨｚ）のマイクロ波を燃焼室１０８内に供給すると、燃焼室１０８内に高電界域が形成される。反射率は、燃焼室１０８へのマイクロ波の入射エネルギの指標を示し、反射率のレベルが低いほど、燃焼室１０８へのマイクロ波の入射エネルギが大きいことを示す。なお、燃焼室１０８内におけるマイクロ波の共振周波数は、燃焼室１０８の形状、大きさ、導電率及び共振器のＱ値等に依存して変わる。本実施形態では、一例として、燃焼室１０８は円筒状の形状を有するものとする。
【００２３】
図２に、マイクロ波の供給によって燃焼室１０８内に形成される電界の分布を示す。燃焼室１０８の径方向（横方向）において中央部が最も高く、周囲部（径方向の外側）へ向かって徐々に低くなって、ある位置で最も低くなる。
【００２４】
図４に、燃焼室１０８内の電界ベクトルを示す。電界ベクトルの向きは、基本的に燃焼室１０８の上下面に対して垂直であるが、内側導体２４の先端部２４ａ（アンテナ電極の先端部）の側面では、燃焼室１０８の径方向（横方向）の成分が加わるため、垂直方向から径方向に傾く。なお、マイクロ波の位相により電界ベクトルの大きさは変化するが、電界ベクトルの傾き（角度）は変わらない。位相が１８０度ずれると、電界ベクトルの方向は反転する。
【００２５】
本実施形態では、マイクロ波を燃焼室１０８内に供給することで燃焼室１０８内に電界を形成し、その電界の電界ベクトルを横切るように電荷供給装置３０によって燃焼室１０８内に電荷を発生させる。これにより、燃焼室１０８内において、より広い領域にプラズマが形成され、より広い領域に亘って混合気を点火することが可能となる。
【００２６】
この現象について、図５を参照して詳しく説明する。図５（ａ）〜（ｃ）に示すように、電極間に電界Ｅが形成されているものとする。図５（ａ）に示すように、電界Ｅの下に電荷ｑを供給すると、その電荷ｑは電界Ｅに比例した力Ｆを受け（Ｆ＝ｑ・Ｅ）、電界ベクトルに沿って運動するため、その運動方向に沿ってプラズマが形成される。そして、図５（ｂ）に示すように、電界ベクトルを横断するように電荷ｑを供給すると、電荷ｑが電界ベクトル上を並列的に運動することになるため、プラズマの形成範囲が広がる。一方、図５（ｃ）に示すように、電界ベクトルに沿って電荷ｑを供給すると、電荷     ｑが電界ベクトル上を直列的に運動することになるため、プラズマの広がりが制約される。本実施形態では、図５（ｂ）に示すように、電界ベクトルを横切るように燃焼室１０８内に電荷を供給することで、燃焼室１０８内において、より広い領域にプラズマを形成することが可能となる。
【００２７】
図６に、実施例１に係る電荷供給装置３０を示す。実施例１に係る電荷供給装置３０は、レーザ光を照射するレーザ点火栓である。実施例１では、電荷供給装置３０からレーザ光を内側導体２４の先端部２４ａ（アンテナ電極の先端部）に照射する。
【００２８】
図７を参照して、マイクロ波及びレーザ光の供給タイミングについて説明する。一例として、所望する点火時期において、ピーク電力が２２０Ｗのマイクロ波のパルスをマイクロ波放射器２０から燃焼室１０８内に供給する。そのマイクロ波パルスの供給タイミングに同期させて、エネルギ１０ｍＪのレーザ光を電荷供給装置３０から内側導体２４の先端部２４ａに照射する。一例として、マイクロ波パルスを供給した後、そのマイクロ波パルスを供給している間にレーザ光を照射する。レーザ光の照射によって内側導体２４の先端部２４ａ（アンテナ電極の先端部）が局所的に加熱されるため、図８に示すように、先端部２４ａからその周囲空間に向けて電荷が放出される。レーザ光の照射により生成された電荷（初期電子）は、図９に示すように、電界ベクトルを横断するように存在する。それらの電荷はマイクロ波の電磁力の作用で移動するため、図１０に示すように、一例として幅５ｍｍ程度のマイクロ波プラズマ２００が電界ベクトルに沿って放射状に形成される。このようにして広域に形成されたマイクロ波プラズマ２００によって、より広い範囲にわたって希薄混合気が点火される。これにより、希薄燃料時の初期燃焼を促進させて、エンジン燃費を向上させることが可能となる。なお、図７に示すように、レーザ光が照射されると、マイクロ波の反射は増加するが、それは、プラズマの形成に伴う現象である。
【００２９】
次に、図１１を参照して実施例２について説明する。実施例２においては、電界集中用電極として機能する突起部４０が、燃焼室１０８に臨むピストン１０６の頂面の中央部において、マイクロ波放射器２０に対向する位置に設けられている。この突起部４０は、突起部４０の近傍において燃焼室１０８内の電界強度を局所的に高める機能を有する。突起部４０の近傍では、燃焼室１０８内のマイクロ波の平均電界の数十倍から数百倍程度の高電界を得ることができる。すなわち、電気力線は金属表面に垂直に入射し、曲率の小さな金属端では電界強度が高くなり、曲率が小さくなるほど電界強度が高くなる。図１１に示すように、電界分布は、突起部４０が配置された中央部において最も高くなり、周囲部（径方向の外側）へ向かうほど低くなっている。なお、突起部４０の幅を変えることにより、最大電界強度の大きさと高電界域の広さとが変わる。突起部４０の幅が小さいほど最大電界強度が大きくなり、突起部４０の幅が広いほど最大電界強度が小さくなるが、燃焼室１０８の径方向に向かってより広範囲に高電界が形成される。
【００３０】
図１２に、燃焼室１０８内の電界ベクトルを示す。内側導体２４の先端部２４ａと突起部４０との間の電界ベクトルの向きは、先端部２４ａの下面に対して垂直方向であるが、先端部２４ａ及び突起部４０のそれぞれの側面では、燃焼室１０８の径方向（横方向）の成分が加わるため、垂直方向から径方向に傾く。
【００３１】
実施例２では、図１２に示すように、電荷供給装置３０（図示しない）からレーザ光を突起部４０の先端部に照射する。例えば図７に示すように、所望の点火時期において、ピーク電力が２２０Ｗのマイクロ波のパルスをマイクロ波放射器２０から燃焼室１０８内に供給する。そのマイクロ波パルスの供給タイミングに同期させて、エネルギ１０ｍＪのレーザ光を電荷供給装置３０から突起部４０の先端部に照射する。レーザ光の照射によって突起部４０の先端部が局所的に加熱されるため、突起部４０の先端部からその周囲空間に向けて電荷が放出される。レーザ光の照射により生成された電荷（初期電子）は、電界ベクトルを横断するように存在する。それらの電荷はマイクロ波の電磁力の作用で移動するため、図１３に示すように、一例として幅５ｍｍ程度のマイクロ波プラズマ２１０が電界ベクトルに沿って湾曲した形で形成される。このようにして広域に形成されたマイクロ波プラズマ２１０によって、より広い範囲にわたって希薄混合気が点火される。なお、実施例２においても、突起部４０の先端部にレーザ光を照射せずに、内側導体２４の先端部２４ａにレーザ光を照射してもよい。
【００３２】
図１４に、実施例２によって形成されるプラズマの発光面積を示す。図１４には、比較例として、電極間の空隙が１ｍｍの火花点火栓によって形成されるプラズマの発光面積が示されている。実施例２によると、比較例と比べて、プラズマの発光面積が大きくなる。つまり、実施例２によると、比較例と比べて、より広範囲にプラズマを形成することが可能となる。なお、照射するレーザ光のエネルギを大きくするほど、燃焼室１０８内に生成される電荷の量が多くなるため、その分、形成されるプラズマの面積も広くなる。
【００３３】
次に、図１５を参照して実施例３について説明する。実施例３においては、内側導体２４の先端部２４ａの近傍に形成された高電界部に、電荷供給装置３０からレーザ光を照射する。一例として、所望の点火時期において、規定電力のマイクロ波のパルスをマイクロ波放射器２０から燃焼室１０８内に供給する。そのマイクロ波パルスの供給タイミングに同期させて、エネルギ５０ｍＪ程度のレーザ光を電荷供給装置３０から内側導体２４の先端部２４ａの近傍（高電界部）に照射する。このレーザ光によりレーザプラズマが形成される。レーザ光の焦点距離を長くし、電界ベクトルを横切るようにレーザ光を照射することで、レーザプラズマを光軸に沿って伸延させる。すなわち、線状にレーザ光を集光させる。焦点距離は一例として１５０ｍｍ以上である。レーザプラズマによって生成された電荷は電界ベクトルを横切るように存在する。それらの電荷はマイクロ波の電磁力の作用で移動するため、レーザプラズマより大きいマイクロ波プラズマが形成される。このようにして広域に形成されたマイクロ波プラズマによって、より広い範囲にわたって希薄混合気が点火される。
【００３４】
次に、図１６を参照して実施例４について説明する。実施例４においては、実施例１〜３に係る電荷供給装置３０に代えて電荷供給装置３０ａが設けられている。電荷供給装置３０ａは、プラズマ点火栓であり、トーチ状のプラズマを燃焼室１０８内に形成する。一例として、所望の点火時期において、規定電力のマイクロ波のパルスをマイクロ波放射器２０から燃焼室１０８内に供給する。そのマイクロ波パルスの供給タイミングに同期させて、電荷供給装置３０ａによって、トーチ状のプラズマを内側導体２４の先端部２４ａの近傍に形成する。トーチ状のプラズマによって、電荷が電界ベクトルを横切るように生成される。それらの電荷はマイクロ波の電磁力の作用で移動するため、広域にマイクロ波プラズマが形成される。このようにして形成されたマイクロ波プラズマによって、より広い範囲にわたって希薄混合気が点火される。
【００３５】
次に、図１７を参照して実施例５について説明する。実施例５においては、実施例１〜４に係る電荷供給装置３０，３０ａに代えて電荷供給装置３０ｂが設けられている。電荷供給装置３０ｂはＤＣ放電を発生させる火花点火栓である。火花点火栓は中心電極３２と接地電極３４とを有している。中心電極３２と接地電極３４との間に形成される空隙は、内側導体２４の先端部２４ａの近傍において、マイクロ波によって形成される電界ベクトルに直交するように配置されている。
【００３６】
まず、所望の点火時期において、規定電力のマイクロ波のパルスをマイクロ波放射器２０から燃焼室１０８内に供給する。そのマイクロ波パルスの供給タイミングに同期させて、電荷供給装置３０ｂによって、中心電極３２と接地電極３４との間に火花放電を形成して電荷を生成する。火花放電により生成された電荷は、電界ベクトルを横切るように存在する。それらの電荷はマイクロ波の電磁力の作用で移動するため、広域にマイクロ波プラズマが形成される。このようにして形成されたマイクロ波プラズマによって、より広い範囲にわたって希薄混合気が点火される。
【００３７】
次に、図１８を参照して実施例６について説明する。実施例６においては、火花点火栓としての電荷供給装置３０ｂが用いられる。火花点火栓の中心電極３２と接地電極３４との間に形成される空隙は、内側導体２４の先端部２４ａの近傍において、マイクロ波によって形成される電界ベクトルの方向に沿って配置されている。
【００３８】
実施例６では、電界ベクトルに直交する向き（燃焼室１０８の径方向）に流れる気流を利用することで、火花点火栓から供給された電荷を電界ベクトルを横切るように分布させる。例えば、エンジンの吸気の気流を燃焼室１０８の径方向に流すことで、電界ベクトルを横切るように電荷を分布させる。
【００３９】
まず、所望の点火時期において、規定電力のマイクロ波のパルスをマイクロ波放射器２０から燃焼室１０８内に供給する。そのマイクロ波パルスの供給タイミングを同期させて、電荷供給装置３０ｂによって、中心電極３２と接地電極３４との間に火花放電を形成して電荷を生成する。火花放電は、燃焼室１０８の径方向（横方向）に流れる気流によって径方向に伸長する。これにより、火花放電によって生成された電荷は、電界ベクトルを横切るように存在する。それらの電荷はマイクロ波の電磁力の作用で移動するため、広域にマイクロ波プラズマが形成される。このようにして形成されたマイクロ波プラズマによって、より広い範囲にわたって希薄混合気が点火される。
【符号の説明】
【００４０】
１０  点火装置、２０  マイクロ波放射器、３０，３０ａ，３０ｂ  電荷供給装置、２２  外側導体、２４  内側導体、２４ａ  先端部、２６  誘電体、３２  中心電極、３４  接地電極、６０  電磁波発生電源、６２  制御装置、６４  電磁波伝送路、１００  内燃機関、１０２  シリンダヘッド、１０４  シリンダ、１０６  ピストン、１０８  燃焼室、１１０  吸気口、１１２  吸気弁、１１４  排気口、１１６  排気弁、１１８  燃料噴射弁。
【図１】
2015158164.tif 000003
【図２】
2015158164.tif 000004
【図３】
2015158164.tif 000005
【図４】
2015158164.tif 000006
【図５】
2015158164.tif 000007
【図６】
2015158164.tif 000008
【図７】
2015158164.tif 000009
【図８】
2015158164.tif 000010
【図９】
2015158164.tif 000011
【図１０】
2015158164.tif 000012
【図１１】
2015158164.tif 000013
【図１２】
2015158164.tif 000014
【図１３】
2015158164.tif 000015
【図１４】
2015158164.tif 000016
【図１５】
2015158164.tif 000017
【図１６】
2015158164.tif 000018
【図１７】
2015158164.tif 000019
【図１８】
2015158164.tif 000020